(57)【特許請求の範囲】
【請求項１】
輸液チューブに装着されるクランプと、当該クランプを脱着自在に収納可能なソケットを備える輸液安全装置であって、
前記ソケットは、輸液ポンプ、輸液セット、薬液投与システムのいずれかに対し、クランプの脱着に係る引っ張り力より大きい強度で固定され、
前記クランプは、ソケットへ収納された状態では輸液チューブの流通を解放し、
輸液チューブが外力を受けると、当該輸液チューブとともに前記ソケットから脱離して輸液チューブの流通を制限する
ことを特徴とする輸液安全装置。
【請求項２】
前記クランプは、輸液チューブが挿通される挿通経路を有し、
当該挿通経路の径を変化させて前記輸液の流通制限を行う可動機構を備える
ことを特徴とする請求項１に記載の輸液安全装置。
【請求項３】
前記クランプは、
第一挿通口及び当該第一挿通口と連通する中空部を持つ筐体と、
当該中空部で摺動可能に収納され、第二挿通口を有する可動体と、
当該可動体を前記中空部内で摺動付勢する付勢手段とを備え、
前記可動機構は、前記付勢手段により可動体を中空部で摺動させることで、前記第一及び第二挿通口をその各開口方向で重ねて前記挿通経路を形成し、当該重なりの程度を変化させて挿通経路の径を変化させる構成である
ことを特徴とする請求項２に記載の輸液安全装置。
【請求項４】
前記クランプは、有底筒状体からなる筐体の側面において前記第一挿通口が少なくとも１対設けられ、
前記筐体の中空部に前記第二の挿通口を持つ可動体が前記付勢手段とともに収納されてなり、
前記筐体の長手方向に可動体が摺動することでクランプの長手方向長が変化するとともに前記挿通経路の径が変化する構成であって、
前記ソケットは、前記脱離状態のクランプ長よりも短い間隔で配された１対の係止壁を備え、
前記クランプは、付勢手段に逆らって可動体が筐体側に押圧され、且つ前記挿通口が開いた状態で前記ソケットの一対の係止壁の間に収納される
構成であることを特徴とする請求項３に記載の輸液安全装置。
【請求項５】
前記付勢手段はバネ体である
ことを特徴とする請求項３または４に記載の輸液安全装置。
【請求項６】
前記クランプには、前記筐体の側部から前記挿通経路に輸液チューブを案内するためのスリットが形成されている
ことを特徴とする請求項1に記載の輸液安全装置。
【請求項７】
請求項1に記載の輸液安全装置が、輸液ポンプに装着されてなることを特徴とする輸液ポンプセット。
【発明の詳細な説明】
【技術分野】
【０００１】  本発明は、輸液ポンプに取着される輸液安全装置に関し、特に輸液ポンプから輸液チューブが脱離した場合の安全機構における改良技術に関する。
【背景技術】
【０００２】  医療現場において、患者や送液ラインに対し、所定の速度およびタイミングで薬液や栄養剤、血液等を送液する目的で、輸液チューブを輸液ポンプに装着してなる輸液システムが利用されている。
前記輸液ポンプとしては、特許文献１および２に開示されているように、ペリスタルティック（ｐｅｒｉｓｔａｌｔｉｃ）式ポンプが広く用いられている。当該ペリスタルティック式ポンプは、フィンガー（突起）を複数備えるフィンガー式、又は円柱状のローラを複数備えて成るローラ式とがある。当該ポンプの使用時には、前記輸液チューブを前記フィンガー又は前記ローラと当接するように配設する。そして駆動に際し、上記フィンガーの蠕動運動又はローラの回転運動により、輸液チューブの側面を扱くように加圧して押し潰すことで変形させる。これにより蠕動運動がなされ、チューブ内の薬液を一定方向へ流通する。医療現場では輸液ポンプのフィンガーの蠕動運動又はローラの回転速度と駆動時間、点滴筒の点滴数、輸液チューブの径等を適宜設定することで、輸液チューブ内の薬液の流速を調節し、適切に薬液が患者や送液ラインに投与される。【０００３】  ところで輸液ポンプでは、不意の理由で輸液ポンプ側から輸液チューブが外れ、輸液チューブに輸液ポンプの駆動力が働かなくなると、重力による自由落下（自然落下）による輸液流出、いわゆるフリーフローの問題が発生する危険がある。
この問題の対策として、特許文献１及び２では、輸液ポンプの一機構として、フリーフローの発生を防止する安全機構が備えられている。具体的には、輸液チューブの配設部分に近接して安全クランプを配設し、当該配設部分をポンプドアで保護する。そして、当該カバーが操作ミス等の理由で駆動時に開けられたときは、自動的に前記安全クランプを作動させて輸液チューブを閉塞させ、輸液がストップするようになっている。
【特許文献１】特開２００４−５７５７７号公報
【特許文献２】特開２０００−３００６６７号公報
【発明の開示】
【発明が解決しようとする課題】
【０００４】  しかしながら、上記特許文献１および２に示される輸液ポンプの安全機構の作動条件は、輸液チューブが輸液ポンプにセットされていることが前提であって、輸液ポンプから輸液チューブが完全に脱離するような事態における安全対策については想定されていない。このため、例えば看護師の誤操作や不意の理由により、輸液チューブに相当の引っ張り力が作用し、輸液ポンプから輸液チューブが完全に脱離した場合には、もはや上記安全クランプ等の機構は作用しない。【０００５】  また、別の問題として、従来の前記安全機構はその構造上、輸液ポンプとほぼ一体化されて設けられている。従って、その効果を得るためには当該機構を持つ輸液ポンプを購入しなければならず、すでに医療現場にて使用されている、または安全機構を持たない輸液ポンプに対し、当該安全機構を新たに付与することはできない。
以上のことから、輸液システムにおけるフリーフロー等の安全機構については、未だ改善の余地があると考えられる。【０００６】  本発明は以上の課題に鑑みてなされたものであって、第一の目的として、比較的簡単且つ低コストな構成により、輸液ポンプから輸液チューブが脱離した場合において、フリーフロー等の輸液の問題を効果的に解決できることが可能な輸液安全装置を提供する。
また第二の目的として、安全装置を備えていない既存の輸液ポンプに対して新たに付加することが可能な安全装置を提供する。
【課題を解決するための手段】
【０００７】  上記課題を解決するために本発明は、輸液チューブに装着されるクランプと、当該クランプを脱着自在に収納するソケットを備え、前記クランプは、ソケットへの収納状態では輸液チューブ内の輸液の流通を解放し、前記輸液チューブが外力を受けると前記クランプはソケットから脱離でき、且つ、当該脱離状態では輸液チューブを押圧して前記輸液を流通制限できる構成を持つ輸液安全装置とした。【０００８】  ここで前記クランプは、輸液チューブが挿通される挿通経路を有し、当該挿通経路の径を変化させて前記輸液の流通制限を行う可動機構を備えることができる。
また前記クランプは、第一挿通口及び当該第一挿通口と連通する中空部を持つ筐体と、当該中空部で摺動可能に収納され、第二挿通口を有する可動体と、当該可動体を前記中空部内で摺動付勢する付勢手段とで構成されており、前記可動機構は、前記付勢手段により可動体を中空部で摺動させることで、前記第一及び第二挿通口をその各開口方向で重ねて前記挿通経路を形成し、当該重なりの程度を変化させて挿通経路の径を変化させる構成とすることもできる。【０００９】  より具体的に前記クランプは、有底筒状体からなる筐体の側面に前記第一挿通口が少なくとも１対設けられ、前記筐体の中空部に前記第二の挿通口を持つ可動体が前記付勢手段とともに収納されてなり、前記筐体の長手方向に可動体が摺動することでクランプの長手方向長が変化するとともに前記挿通経路の径が変化する構成であり、前記ソケットは、前記脱離状態のクランプ長よりも短い間隔で配された１対の係止壁を備え、前記クランプは、付勢手段に逆らって可動体が筐体側に押圧され、且つ前記挿通口が開いた状態で前記ソケットの一対の係止壁の間に収納される構成とすることができる。【００１０】  なお前記付勢手段には、バネ体を用いることができる。
また、前記クランプには、前記筐体の側部から前記挿通経路に輸液チューブを案内するためのスリットを形成することもできる。
さらに前記クランプは、前記スリットをソケット側に向けて当該ソケットに収納することができる。【００１１】  また前記クランプは、輸液チューブの長手方向に沿って前記ソケットから脱離する構成とすることができる。
また本発明は、上記輸液安全装置が、輸液ポンプに装着されてなる輸液ポンプセットとした。
ここで、前記ソケットは、クランプの脱離に係る引っ張り力より大きい強度で輸液ポンプ側に装着することができる。
【発明の効果】
【００１２】  以上の構成を持つ本発明の輸液安全装置は、クランプとソケットが互いに脱離するシステムであり、クランプがソケットから脱離した状態において、輸液チューブの輸液量を制限する構成となっている。
この構成によれば、ソケットを輸液ポンプに固定する一方、クランプに輸液チューブを装着し、これを前記ソケットに収納する。この状態でポンプ側に輸液チューブを装着することで通常駆動が行われ、万一輸液ポンプ側から輸液チューブが外れると、輸液チューブとともにクランプに外力が及んでソケットからこれらが脱離する。この脱離によってクランプが作動し、輸液チューブが押圧されることによって、フリーフロー等の問題が効果的に抑制されることとなる。【００１３】  特許文献１および２等に挙げられる従来のフリーフロー対策としての安全装置は、輸液ポンプの一構成として当該ポンプ内に一体的に組み込まれているため、ポンプ側から輸液チューブが完全に離れた場合にはもはや安全機構を作用させることができないが、本発明の輸液安全装置を輸液ポンプと併せて用いれば、このような問題を根本的に解決することが可能となる。【００１４】  さらに、本発明の輸液安全装置は、輸液ポンプの所定の位置にソケットを粘着テープや接着剤、ネジ等各種固定具を用いることで、既存のものに後から付加的に装着することが可能であり、非常に汎用性が高い特徴も持つ。このため、安全装置を得るために新たに輸液ポンプを買い直す必要もなく、非常にコスト的に優れている。また、構成も比較的に簡素であり、高い実現性を有するものである。
【図面の簡単な説明】
【００１５】
【図１】実施の形態１の輸液安全装置（クランプセット）の構成を示す斜視図である。
【図２】クランプの構成及び動作を示す図である。
【図３】クランプセットを用いた輸液ポンプセットを示す図である。
【図４】クランプの脱着状態をそれぞれ示す図である。
【図５】輸液ポンプ側から輸液チューブが脱離した様子を示す図である。
【図６】クランプのバリエーションを示す図である。
【図７】実施の形態２のクランプセットの構成を示す図である。
【図８】実施の形態３のクランプセットの構成を示す図である。
【符号の説明】
【００１６】  ＭＧ１、ＭＧ２  マグネット
１  輸液安全装置（クランプセット）
２  輸液ポンプ
１０、１１、１２、１３、１４  クランプ
２０、２５、２６、２７  ソケット
１００、１０６、１０７、１０８  筐体
１０２、１５２  筐体スリット部
１０４  中空部
１２２  可動体スリット部
１２３  ストッパー
１２０、１４０、１５０  可動体
１３０  スプリング
１７０  係合部
１７１ａ、１７１ｂ  割ピン
１７２ａ、１７２ｂ  ベベル部
１８０  ハサミ状クランプ
１８１ａ、１８１ｂ  アーム対
２０１、２０２  係止壁
２０５  固定壁
２１０  カバー
２２１  クランプ取付位置
２２１ａ  ステージ
２２１ｂ  凹部
１８１１ａ、１８１１ｂ  操作部
【発明を実施するための最良の形態】
【００１７】＜実施の形態１＞
１．輸液安全装置の構成
図１は、実施の形態１における輸液安全装置である、クランプセットの構成を示す図である。また図２は、クランプの詳細な構成と動作を説明するための図である。
本実施の形態１は図１に示すように、クランプ１０と、これを収納するソケット２０により構成される。【００１８】  ソケット２０は、例えば樹脂材料を射出成型してなるものであって、長方形板の固定壁２０５を中央とし、その長手方向（ｙ方向）両側に一対の係止壁２０１、２０２が全体的にコの字状になるように配設され、さらに当該コの字配列の下方側部から係止壁２０２及び固定壁２０５にわたって底壁２０３が形成されてなる。これにより、各壁２０１〜２０３、２０５で囲まれたソケット２０の内部に直方体状スペースが確保される。底壁２０３と係止壁２０１との間には、後述の挿通口１０１、１２１に合わせて切り欠き２０４が設けられている。【００１９】  ソケット２０のサイズ例としては、ｘ方向長２１ｍｍ、ｙ方向長３２ｍｍ、ｚ方向長１６ｍｍ、部材厚み５ｍｍとすることができる。
紙面奥側に位置する固定壁２０１の表面には、輸液ポンプに対する係止手段の一例として、両面テープ、接着剤等が配されることにより、図３に示すように輸液ポンプ２の取り付け内部２２１に後付で装着されるようになっている。このときの装着にかかる強さは、後述のソケット２０からクランプ１０が脱離する場合に耐えうる程度の強度（すなわちクランプ１０とともにソケット２０が輸液ポンプ側から脱離しない程度）とすることが必要である。なお前記係止手段としては、このほか、フックや面ファスナー、ネジ等が利用できるほか、当該ソケット２０を磁性体を含む材料で構成すれば、当該磁力による固定方法も利用することができる。なお、当該磁性体を利用する場合、輸液ポンプの装着場所が金属等で構成される必要があるのはいうまでもない。【００２０】  図２は、クランプ１０の構成と動作を示す一部透過図として示されている。ここではスプリング１３０の状態に分け、図２（ａ）はソケットから脱離した場合の伸張時、図２（ｂ）はソケット収納時（圧縮長）におけるクランプ１０をそれぞれ示す。当図２では、筐体１００中における可動体１２０の位置を容易に把握するため、当該可動体１２０を網掛けで示している。
当図に示すようにクランプ１０は、筐体１００、可動体１２０、スプリング１３０等で構成される。【００２１】  筐体１００は樹脂材料で構成され、内部が中空の有底筒状体であって、その長手方向一端側に挿通口９５が設けられ、当該挿通口９５寄りの位置に、輸液チューブ３３を挿通させる（図４を参照）ための筐体挿通口１０１が形成された構成を持つ。他端側は、ソケット２０の係止壁２０２と当接させるためにステップ状に突出した筐体端部１０３が形成されている。当該筐体１００の断面形状は、ここではユーザーがソケット２０への脱着を行いやすいように、緩やかな正方枠状としている。【００２２】  前記筐体挿通口１０１には、筐体側部から輸液チューブを装着できるように、外部と練通するスリット１０２が設けられている。
さらに、当該筐体１００の中空部１０４には、図２（ａ）に示すように、スプリング１３０と可動体１２０が順次収納されている。
スプリング１３０は、ステンレス、ニッケル合金等の金属材料で構成されるコイルバネであり、通常は伸張力により筐体１００の中空部１０４において可動体１２０を挿通口９５側に押し上げているが、クランプ１０のソケット２０収納時には所定の圧力で圧縮される。【００２３】  可動体１２０は筐体１００と同様の樹脂材料で構成され、筐体１００の中空部１０４に設定された外形を持つ直方体であり、その側面には前記筐体挿通口１０１と同様の形状を持つ可動体挿通口１２１及びスリット１２２が形成されている。この構成によって可動体１２０は筐体１００の中空部１０４を筐体１００の長手方向（Ａ−Ａ‘方向）に沿って摺動自在に配設されている。可動体１２０は、通常はＡ’方向へ移動するようにスプリング１３０により付勢されているが、一対の係止壁２０１、２０１の間に収納される等、外力を受けることでＡ方向へスプリング１３０の付勢に逆らって移動する。そしてＡ方向の移動時には、前記筐体挿通口１０１と可動体挿通口２１とが重なることで輸液チューブ３の挿通経路が確保され（図２（ｂ）を参照、逆にＡ‘方向への移動時には、前記筐体挿通口１０１と可動体挿通口１２１とが相対的にずれることで挿通口の径が変化し、当該挿通経路が閉じられる（図２（ａ））。このとき、可動体１２０は筐体１００よりも突出し、当該突出部分が前記筐体端部１０３と対称的な可動体端部１２５となる。【００２４】  前記ソケット２０では、係止壁２０１、２０２の間隔を、ソケット脱離時におけるクランプ長よりも短い間隔に調整することによって、クランプ１０収納時にはＡ方向へ可動体１２０を圧縮力がかかるようになっている。
なお、当該可動体挿通口１２１の一端側には突起状のストッパー（爪）１２３が形成されており、Ａ‘方向への移動時には当該ストッパー１２３が筐体挿通口１０１の周辺部と係止することで筐体１００から脱落しないようになっている。【００２５】  ここで、クランプ１０およびソケット２０は、樹脂材料以外の材料、例えば金属材料等で構成してもよい。
当該クランプ１０は、ソケット２０収納時においては、前記スリット１０２をソケット２０側に向けて収納させる。このような収納方向とすることによって、輸液チューブ３がクランプ１０から脱落するのを効果的に防止できるので望ましい。【００２６】  ２．輸液ポンプへの取り付けとクランプセットの効果
次に示す図３は、輸液ポンプ２とクランプセット１、及び輸液チューブ３からなる輸液ポンプセットの構成例を示す図である。
当図３に示す輸液ポンプ２は、公知のペリスタルティック式であって、箱形の筐体２２０の内部にペリスタルティック式ローラが内蔵されている。また当該筐体２２０の正面部には表示部２２２、操作部２２７、ポンプ内部２２１、輸液セット部２２３、ポンプドア２１０、ドアレバー２１１等が備えられている。筐体２２０の内部には操作部２２７から入力されるユーザ情報を受け付け、設定通りに前記ローラを駆動するための不図示の制御回路が備えられている。【００２７】  表示部２２２には、駆動時において図３（ｂ）に示すように、デジタル表示方式により輸液流量、輸液量、点滴数、各種ポンプ状態（気泡・点滴の有無、ドア開閉状態、内部電池状態、閉塞センサ状態等）が表示される。
操作部２２７には電源ボタン、駆動開始／停止ボタン、設定入力ボタン等の主要なボタンのほか、メモリクリアボタン、設定切り替えボタン等の調整ボタン等が配設されている。入力された輸液条件は筐体２２０内部に配された制御回路に伝達され、当該回路内のマイクロコンピュータのメモリ部に格納されるようになっている。【００２８】  ポンプドア２１０は、筐体２２０に対しヒンジで開閉自在に備えられており、輸液チューブ３がセットされるポンプ筐体２２０のポンプ内部２２１を全体的に覆うようになっている。
ポンプ内部２２１には、その上部において、ソケット２０の係止壁２０５の裏面が両面テープ等の手段により貼着されており、これによって本実施の形態１のクランプセット１が輸液ポンプ２に対して配設される。【００２９】  クランプセット１より下流側には、筐体２２０に内蔵された輸液セット部２２３が存在する。当該輸液セット部２２３では、図３（ａ）に示すように、前記ペリスタルティックローラの駆動力が伝達される円盤状突起のフィンガー部２２４が、駆動軸に偏芯するように複数にわたり併設され、且つ外部に露出して併設されている。駆動時には当該偏芯して配設されたフィンガーがそれぞれ順次輸液チューブ３を押圧し、これをしごくように蠕動運動することで、ポンプ作用がなされる。【００３０】  なお、当該フィンガー部２２４の中央には、クリップ状の閉塞センサ２２５が設けられ、輸液チューブ３を把持できるようになっている。
輸液セット部２２３の下流側には、ドア安全クランプ２２６が配されている。これは、ポンプ駆動時において、ポンプドア２１０が何らかの理由により開いた場合、輸液セット部２２３から輸液チューブ３が脱落しないようにこれを把持する構成である。【００３１】  この他、ポンプ筐体２２０には、輸液チューブ３を案内するための溝部２３０、２３１が設けられている。
上記構成を持つクランプセットによれば、ユーザ（看護師等）は使用に先立ち、まず輸液ポンプ２に輸液チューブ３を装着する。当該装着順の例としては、図３（ａ）のＡ−Ｅに示すように、溝部２３０、クランプ１０、輸液セット部２２３、ドア安全クランプ２２６、溝部２３１の順に取り付ける。【００３２】  ここで、クランプ１０への輸液チューブ３の取り付けは、クランプ１０の挿通口１０１、１２１に対して輸液チューブ３を挿通させて行う。なお図１に示すように、クランプ１０にスリット１０２、１２２を設けていれば、輸液チューブ３先端をたぐり寄せて挿通口１０１、１２１に挿通させなくてもクランプ１０をセットできるため操作性がよい。クランプ１０に輸液チューブ３を装着した後は、クランプ１０をソケット２０に収納する。【００３３】  当該取り付けの終了後、ユーザはポンプドア２１０を締め、ドアレバー２１１にて閉状態でロックする。この状態で、ユーザは輸液ポンプ２を駆動させる（図３（ｂ）に示す状態）。ここで図４（ａ）は、図３（ａ）の状態と対応するクランプセット１の様子を示す。クランプ１０はソケット２０に収納されており、輸液チューブ３の薬液が流通可能な状態にある。
そして、看護師の操作ミス（具体的には、輸液チューブに装着したクレンメの閉め忘れ）、或いは不意の応力等の何らかの原因によりある程度強い力が作用して輸液チューブ３が引っ張られると、図５に示すようにポンプドア２１０が開き、ソケット２０からクランプ１０が脱離する。ここで、引っ張り力が比較的弱い力であり、安全クランプ２２６に輸液チューブ３が装着された状態が保たれていれば、ポンプドア２１０が開くとともに当該クランプ２２６が作動し、従来と同様に輸液チューブ３の閉塞が行われる安全機構が作動する。しかしながら、安全クランプ２２６からも輸液チューブ３が脱離してしまうと、従来では輸液ポンプ２に設けられた安全装置が働かなくなるため、フリーフロー等の問題が発生する。【００３４】  そこで実施の形態１では、このような比較的強い引っ張り力に対して図４（ｂ）のように、クランプ１０がソケット２０から脱離するとスプリング１３０の付勢により筐体１００の挿通口９５から可動体１２０が突出し、筐体挿通口１０１に対して可動体挿通口１２１が相対的に移動する。そして輸液チューブ３が側面から挟み込まれ、押圧変形される。この動作により輸液チューブ３内が閉塞されるので、輸液の流通防止（ストッパー）機構が発揮されることとなる。つまり本実施の形態１によれば、輸液チューブ３が輸液ポンプ２側から完全に脱離した後であっても、フリーフロー等の問題の発生を効果的に防げるという高い性能が発揮される。【００３５】  さらに本実施の形態１のクランプセット１は、輸液ポンプの構成に依存しないため、高い汎用性を備えており、既存の輸液ポンプに対して、両面テープ、接着剤、ネジ等により付加的に、且つ所望の位置に装着できるといった特徴を持つ。このため本発明のクランプセットによれば、既存の各種輸液ポンプのほとんどに対して付加的に装着できるので、従来のように安全装置を装備した輸液ポンプを新たに買い直す必要がなく、既存の設備を有効活用できるので、コスト面で非常に優れた特徴を持つ。【００３６】  また本発明のクランプセット１は、このような輸液ポンプ２への応用に限らず、点滴等に用いられる輸液バッグ、クレンメ、輸液チューブ、点滴筒等からなる輸液セット、薬液投与システム等にも応用することが可能である。
３．輸液装置のバリエーション
本発明の輸液安全装置としてのクランプセットは、上記実施の形態１の構成に限らず、ソケットに対してクランプが脱着する方式をとり、且つソケットから脱離したクランプが輸液チューブを閉塞する構成であれば、その他の構成とすることも可能である。【００３７】  ここで図６は、実施の形態１のクランプセットのバリエーションを示す図である。
図６（ａ）は、ソケットの一部がクランプを貫通することでこれを係止する構成例（バリエーション１）である。
バリエーション１におけるクランプ１１の構成は、基本的にはクランプ１０と同様であるが、筐体１０６の中央側面には中空部１０４と連通し、筐体１０６の長手方向に沿って設けられたスリット１１１が配設され、直方体状の可動体１４０が爪１０１を露出された状態で収まった特徴を持つ。【００３８】  ソケット２５への収納時には、ユーザが爪１０１をスリット１１１に沿って押し下げてスプリング１３０を収縮させ、孔１１０及びスリット１１１にソケット２５の棒状突起２５１を挿通させることでクランプ１１を装着させる。このようなクランプ１１を用いても、スリット１１１および爪１０１との案内機構を利用してクランプ１１の内部を可動体１４０が摺動することにより、実施の形態１とほぼ同様の効果が奏される。【００３９】  また、クランプの筐体に収納されるスプリングは、自然長時において可動体を筐体外部へ押し出す構成に限定しない。図６（ｂ）は、スプリングが収縮方向に付勢されており、ソケット収納時にはスプリングを伸張させた状態とする構成例（バリエーション２）を示す。
当図に示すバリエーション２では、クランプ１２の筐体１０７、可動体１５０がそれぞれ貫通孔１１２１、１５３１を備え、ソケット２６は前記貫通孔１１２１、１５３１の径に合わせた一対のシャフト係止部２６１、２６２を備えている。【００４０】  可動体１５０は筐体１０７内部の中空部１０４において、スプリング１３０と接合されており、通常は可動体１５０がスプリング１３０の収縮力により筐体１０７の内部に収縮する方向に付勢されている。可動体１５０にはその端部側に鍔部１５４が形成されており、通常はスプリング１３０の収縮により可動体１５０が筐体内に完全に隠れ、挿通口１５１が閉じられるが、ソケット２６収納時には貫通孔１１２１、１５３１に一対のシャフト係止部２６１、２６２が挿通され、図６（ｂ）のように挿通口１５１が解放状態となっている。このような構成により、実施の形態１とほぼ同様の効果が奏される。また、当該バリエーション２は、ソケット２０の収納時に比べて脱離時のクランプ長が小さくなり、コンパクト化に寄与できるといったメリットも有する。【００４１】  さらに、クランプに設ける挿通口は１個に限定されず、これ以上の数で配設してもよい。図６（ｃ）に示すバリエーション３は、ソケット２７に収納されるクランプ１３において、筐体１０８に別途挿通口１６１、スリット１６２を設けた点に特徴を持つ。これ以外は実施の形態１のクランプ１０と同様の構成である。
本バリエーション３によれば、実施の形態１の効果に加え、上記挿通口１６１、スリット１６２を設けていることから、輸液チューブ３の取り付け方法を変化させることができる。すなわち、図３に示す輸液ポンプ２に装着する場合は、スリット１０２を利用して輸液チューブ３を取り付ければよいが、輸液ポンプへの取り付け位置の制約、または輸液ポンプの形状の制約等により、ポンプ上下方向に輸液チューブ３を延長できない場合等には前記挿通口１６１、スリット１６２を利用して輸液チューブ３をＵの字状に折り返すことが可能である。このような工夫により、バリエーション３では輸液チューブ３の取り回しにおいて、非常に優れているといえる。【００４２】  なお、本バリエーション３を適用する場合には、輸液チューブ３の折り返しにより、当該チューブが折れて内部が閉塞状態にならないように注意が必要である。
４．その他の事項
上記実施の形態１では、クランプセットを輸液ポンプの装着位置より上流側に配置したが、輸液ポンプよりも下流側に装着してもよい。また、クランプの装着個数も１本の輸液チューブに対して複数個にわたり装着するようにしてもよい。【００４３】  上記実施の形態１では、輸液チューブに輸血や薬液を流通させる構成としたが、当然ながら輸液はこれに限定されず、水や生理的食塩水等他の溶液を流通させる構成としてもよい。
＜実施の形態２＞
以下、本発明の実施の形態２について、実施の形態１との差異を中心に説明する。【００４４】  上記実施の形態１のクランプセットの構成は、主としてポンプ駆動中に輸液チューブ３が不意に引っ張られることで、輸液チューブ３が誤ってポンプ側より脱落するケースを想定したものであるが、本発明はこのような場合に限定せず、カバー２１０の不要な解放自体によってもクランプを作動させることができる。
図７は、実施の形態２におけるソケット取付位置２２１付近の構成を示す部分拡大図である。当図では、ポンプを上から見下ろした様子を示す。本実施の形態２では、クランプセットはカバー２１０の裏側に装着される構成である。【００４５】  クランプ１４には、全体的にはクランプ１０と同様であるが、その側面においてソケット取付位置２２１との対向する位置に、第一の係合部として、割ピン状の突起１７１ａ、１７１ｂからなる係合部１７０が形成されている。一方、係合部１７０と対向するポンプ取付位置２２１には、第二の係合部として、係合部１７０と可逆的に係合可能な凹部２２１ｂを備えるステージ２２１ａが配設される。ここで、係合部１７０及び凹部２２１ｂによる係合の強度は、ソケット２０からクランプ１４を脱離させる強度よりも強く設定されている。【００４６】  さらに、クランプ１４の長手方向両端部には、ソケット２０と近接する領域において部分的に傾斜角が確保されており、ベベル部１７２ａ、１７２ｂが配設されている。これにより、クランプ１４はソケット２０に対して非常にスムーズに装着されるようになっている。
以上の構成によれば、ユーザはまずクランプ１４に輸液チューブ３を装着し、これをステージ２２１ａに配設する。このとき、クランプ１０の係合部１７０はステージ２２１ａの凹部２２１ｂと係合し、安定した配置となる（図７（ａ））。この状態でカバー２１０を閉めると、クランプ１４はベベル部１７２ａ、１７２ｂの作用により非常に滑らかな動作で、自動的にソケット２０に装着される（図７（ｂ））。ここれにより、輸液チューブ３の輸液状態はフリーとなる。【００４７】  この状態において、不意にカバー２１０が解放されると、ソケット２０はカバー２１０とともに移動するが、クランプ１４は係合部１７０、凹部２２１ｂの係合作用によりソケット２０側から脱落し、ポンプ側に止まる。そして、ソケット２０からの解放によって、クランプ１４から可動体１２０が突出し、輸液チューブ３が閉塞されることとなる（図７（ｃ））。
以上の動作を行う実施の形態２では、実施の形態１とほぼ同様の効果が奏される他、輸液チューブ３への直接の引っ張り力が働かなくてもカバー２１０の解放と連動してチューブ３を閉塞し、フリーフローの発生を防止できるので、実施の形態１に比して、より一層高い安全性を呈するものである。【００４８】  また、本実施の形態２は、一般的な輸液ポンプに対し、所定の位置にステージ２２１ａ及び宇ランプセット１を装着することで実現できるため、非常に汎用性が高いものである。尚、ステージ２２１ａを用いず直接ポンプ本体に対し凹部２２１ｂを設けてもよい。
係合後の係合部分については、割ピン１７１ａ、１７１ｂを側面より押すか、クランプ１４をステージ２２１ａに対して傾斜させることで、問題無くクランプ１４を取り外すことが出来る。【００４９】  なお、割ピン１７１ａ、１７１ｂを利用した係合部１７０の構成は当然ながら一例であって、カバーが解放された場合にクランプがステージ側に固定されるように係合作用をなすものであればよい。例えば、クランプ及びステージにそれぞれ磁石、面ファスナー、両面接着テープ等を配設し、これにより上記作用をなす構成とすることもできる。
また、図７ではソケット２０をカバー２１０の内面に取り付ける構成を示したが、ソケット２０を設ける位置はこれに限定されない。例えば、カバー２１０の上部側面にソケットを取付け、当該ソケットの位置に併せてクランプ１４を係合部１７０、凹部２２１ｂにより係合させる構成とし、カバー２１０の開閉動作と連動してソケット２０からクランプ１４が脱離される構成としても、上記と同様の効果が奏されることとなる。【００５０】  ＜実施の形態３＞
図８は、本発明の実施の形態３のクランプセットの構成を示す図である。実施の形態２との違いは、クランプセットを用いず、代わりにハサミ状クランプ（ハンドクランプとも称される）１８０を用いた点にある。
具体的には、クランプ取付位置２２１には公知のねじりバネ（不図示）によりハサミが閉状態の方向に付勢された一対のアーム１８１ａ、１８１ｂが備えられ、当該アーム１８１がリンク部１８２によりクランプ取付位置２２１に固定されている。一対のアーム１８１ａ、１８１ｂには、ユーザが指でアームを開くことができるように、操作部１８１１ａ、１８１１ｂが備えられている。一方、ハサミ状クランプ１８０と対向するカバー２１０の部分にはマグネットＭＧ２が配設されている。クランプ１８０は、実施の形態２と同様の係合部１７０及び凹部２２１ｂを利用して配設される。【００５１】  以上の構成によれば、ユーザはまずハサミ状クランプ１８０のアーム１８１の間に輸液チューブ３を挿通させた状態で、一対のアームにマグネットＭＧ１を挟設させる（図８（ａ））。この状態でカバー２１０を閉めると、ハサミ状クランプ１８０は解放された状態を維持しつつ、マグネットＭＧ１、ＭＧ２同士が付着して安定状態となる（図８（ｂ））。
そして、この状態において、不意にカバー２１０が解放されると、マグネットＭＧ１はカバー２１０のマグネットＭＧ２と付着した状態が維持され、ハサミ状クランプ１８０のアーム１８１は輸液チューブ３が挿通されたまま閉じることとなる。これにより、輸液チューブ３は一対のアーム１８１ａ、１８１ｂにより強く閉塞される（図８（ｃ））。【００５２】  以上の動作により、実施の形態２とほぼ同様の効果が奏される。ここで、ユーザが図８（ｃ）の状態において、操作部１８１１ａ、１８１１ｂを操作して一対のアーム１８１ａ、１８１ｂ間にマグネットＭＧ１を挟むようにすれば、再度図８（ａ）の状態へ移行することが可能である。
なお、本実施の形態３ではＭＧ１、２を用いたが、上記実施の形態２と同様にこれに限定するものではなく、カバーが解放された場合にハサミ状クランプが閉じるように、当該クランプのアームに挟設された物体がカバーと係合する構成であればよい。すなわち、磁性のない物体をクランプに挟んでおき、これをカバー側と面ファスナー、両面接着テープ、割ピン状突起等により係合させる構成とすることもできる。【００５３】  また、ハサミ状クランプも上記ねじりバネを利用した構成に限定されず、公知のスライドクランプを利用することもできる。
なお、カバー２１０はヒンジにより開閉する構成として説明したが、筐体に対しスライド開閉する構成であってもよい。この場合にも、カバーとこれに対向するクランプ取付位置にそれぞれソケット及びクランプの係合部を配設することができる。
【産業上の利用可能性】
【００５４】  本発明は、医療用の輸液ポンプに対して利用できるほか、点滴等の輸液セットに対する安全装置としても利用することが可能である。
【図１】
0004483866.tif 000002
【図２】
0004483866.tif 000003
【図３】
0004483866.tif 000004
【図４】
0004483866.tif 000005
【図５】
0004483866.tif 000006
【図６】
0004483866.tif 000007
【図７】
0004483866.tif 000008
【図８】
0004483866.tif 000009